(57)【要約】【課題】折丁ふくらみを確実に抑えた状態で胴間受け渡し部に案内することができるシート状物の案内装置を提供する。【解決手段】それぞれ周面に折丁を保持するくわえ板１５１、爪部１６１を備えて相互に隣接するくわえ胴１５と減速胴１６との間で折丁の受け渡しを行う胴間受け渡し部の入口側に、くわえ胴１５の周面１５ａに沿って形成され、下流側の端部１１１ａ〜１１５ａが、減速胴１６の周面上に周方向に形成された凹溝１６ａに所定の間隙を有して進入する位置まで伸長されるとともに、爪部１６１に対応する位置に、爪部１６１が通過可能に形成された切欠き１１１ｂ〜１１５ｂを備えるシート状物案内ガイド１１を設ける構成とした。【選択図】図１
2008247549.tif 000002
【特許請求の範囲】
【請求項１】
それぞれ周面にシート状物を保持する保持部材を備えて相互に隣接する二つの胴の間で、上流側の胴から下流側の胴へとシート状物の受け渡しを行う胴間受け渡し部の入口側に、
前記上流側の胴の周面に沿って形成され、下流側の端部が前記下流側の胴の周面上に周方向に形成された凹溝に所定の間隙を有して進入する位置まで伸長されたシート状物案内ガイドを設けたことを特徴とするシート状物の案内装置。
【請求項２】
前記シート状物案内ガイドが、下流側の端部にあって前記下流側の胴が備える前記保持部材に対応する位置に、前記保持部材が通過可能な切欠きを備えることを特徴とする請求項１記載のシート状物の案内装置。
【発明の詳細な説明】
【技術分野】
【０００１】
本発明は、シート状物の案内装置に関する。
【背景技術】
【０００２】
輪転印刷機には、シート状物、例えば印刷後、乾燥冷却されたウェブを所定の長さごとに断裁したものを、目的に応じて幅方向または長さ方向に沿って折り畳み、排紙装置へ搬出する折機が備えられている。このような折機は、例えば、ウェブを幅方向に二つ折する三角折装置、断裁された折丁を断裁面と平行に折り畳む咥え折装置、及び断裁された折丁を断裁面と直角に折り畳むチョッパ折装置の組み合わせによって構成される。
【０００３】
図５に上記各折装置の一つである咥え折装置の一例を示す。図５に示すように、咥え折装置は、断裁胴１３、折胴１４、咥胴１５、減速胴１６、及び上下の渡胴１７，１８を備え、これらは、図中矢印で示す方向へ同期して回転駆動するようになっている。
【０００４】
断裁胴１３にはウェブ１２を所定の寸法ごとに断裁する断裁刃１３１が備えられ、また、折胴１４には回転軸方向に並列する複数個の針１４１及び差し込みナイフ１４２が備えられている。咥胴１５には差し込みナイフ１４２に対向して咥え板１５１が配設されている。減速胴１６及び上下の渡胴１７，１８には、爪と爪台とからなる爪部１６１，１７１，１８１がそれぞれ備えられている。
【０００５】
印刷後、乾燥冷却されたウェブ１２は、この咥え折装置において所定の長さごとに断裁されてシート状物となり、咥え折され、排紙装置へ搬出される。
【０００６】
そして、このような咥え折装置にあっては、シート状物の案内装置として、胴間においてシート状物の受け渡し、例えば咥え換えを行う際にシート状物の先端部を胴間受け渡し部へ案内するシート状物案内ガイド２３が備えられている（例えば、特許文献１参照）。図５は、咥胴１５と減速胴１６との間における折丁の胴間受け渡し部にシート状物案内ガイド２３を設けた例であり、シート状物案内ガイド２３は、胴間受け渡し部の入口側に配置されている。
【０００７】
図５に示すように、シート状物案内ガイド２３は、ほぼ一定の厚さの板体であって咥胴１５の周面に沿って湾曲するとともに、減速胴１６側の端部が、減速胴１６の周面との間に間隙を有するように配置され、爪部１６１との接触を回避しつつ、咥え板１５１に保持された折丁の紙あばれを抑制して該折丁が咥胴１５の周面に添接した状態で受け渡し部へと案内されるように構成されている。
【０００８】
【特許文献１】実公平０７−５４２０５号公報
【発明の開示】
【発明が解決しようとする課題】
【０００９】
しかしながら、図５に示すような従来のシート状物案内ガイド２３にあっては、その形状と、爪部１６１との間に間隙を設ける必要があることとから、該シート状物案内ガイド２３を胴間受け渡し部のできるだけ近傍に配置した場合であっても、図５に示すように胴間受け渡し部とシート状物案内ガイド２３の端面との間に空隙が形成され、以下に示すような問題が生じていた。
【００１０】
即ち、紙質や機械回転数により上記空隙における折丁の姿勢が変化してしまい、これに伴って折丁受け渡しのタイミングを調整する必要が生じ、折精度に影響を及ぼす虞があった。また、上記空隙に折丁ふくらみが入り込むことにより、ガイド２３の先端にインキが堆積し、折丁がこすれとなる虞や、上記空隙によっては、折丁が減速胴１６に接触し、こすれとなる虞があった。
【００１１】
本発明はこのような問題を解決するものであって、折丁ふくらみを確実に抑えた状態で胴間受け渡し部に案内することができるシート状物の案内装置を提供することを目的とする。
【課題を解決するための手段】
【００１２】
上記の課題を解決するための第１の発明に係るシート状物の案内装置は、それぞれ周面にシート状物を保持する保持部材を備えて相互に隣接する二つの胴の間で、上流側の胴から下流側の胴へとシート状物の受け渡しを行う胴間受け渡し部の入口側に、前記上流側の胴の周面に沿って形成され、下流側の端部が、前記下流側の胴の周面上に周方向に形成された凹溝に所定の間隙を有して進入する位置まで伸長されたシート状物案内ガイドを設けたことを特徴とする。
【００１３】
第２の発明に係るシート状物の案内装置は、第１の発明に係るシート状物の案内装置において、前記シート状物案内ガイドが、下流側の端部にあって前記下流側の胴が備える前記保持部材に対応する位置に、前記保持部材が通過可能な切欠きを備えることを特徴とする。
【発明の効果】
【００１４】
上述した本発明に係るシート状物の案内装置によれば、折丁の受け渡しに際し、折丁ふくらみをガイドによって確実に受け渡し部まで案内することができることにより折丁の姿勢が安定するため、紙質に応じた折丁タイミングの調整が不要となり、折丁の受け渡しが安定して折精度が向上する。更に、折丁ふくらみをガイドによって受け渡し部近傍まで案内することができるため、従来生じていた折丁ふくらみによるシリンダーのこすれを防止することができる。
【発明を実施するための最良の形態】
【００１５】
以下に、本発明の実施の形態について説明する。本発明の実施の形態は、それぞれ周面にシート状物を保持する保持部材を備えて相互に隣接する二つの胴、例えば折機における折胴と咥胴間、又は咥胴と減速胴間等であって、上流側の胴から下流側の胴へとシート状物の受け渡しを行う胴間受け渡し部の入口側に、上流側の胴の周面に沿って形成され、下流側の端部が、下流側の胴の周面上に周方向に形成された凹溝に所定の間隙を有して進入する位置まで伸長されるとともに、端部にあって下流側の胴が備える保持部材に対応する位置に、保持部材が通過可能な切欠きを備えるシート状物案内ガイドを設けるものであり、以下に示す実施例においてその詳細を説明する。
【実施例】
【００１６】
以下、図に基づいて本発明の一実施例の詳細を説明する。図１は本実施例に係るシート状物の案内装置の要部断面図、図２は本実施例に係るシート状物の案内装置の上面図、図３は本実施例に係るシート状物の案内装置の他の要部断面図、図４は本実施例の適用対象例の折機の胴配列図である。
【００１７】
図４に示すように、本実施例に係るシート状物の案内装置が設けられる折機は、断裁胴１３、折胴１４、咥胴１５、減速胴１６、及び上下の渡胴１７，１８を備え、これらは、図中矢印で示す方向へ同期して回転駆動するようになっている。
【００１８】
断裁胴１３には軸方向に延びてウェブ１２を所定の寸法ごとに断裁する二つの断裁刃１３１が備えられ、折胴１４には軸方向に並列する複数の針１４１及び差し込みナイフ１４２がそれぞれ周方向に二列備えられている。また、咥胴１５には差し込みナイフ１４２に対向して保持部材としての咥え板１５１が周方向に二列備えられ、更に、減速胴１６及び上下の渡胴１７，１８には、それぞれ爪と爪台とからなる保持部材としての爪部１６１，１７１，１８１が備えられている。
【００１９】
図４に示す折機において、印刷後、乾燥冷却されたウェブ１２は、断裁胴１３によって所定の長さごとに断裁され、針１４１によって折胴１４の下側半周面へ添接される。そして、断裁されたウェブは、差し込みナイフ１４２及び咥え板１５１によって折胴１４から咥胴１５へ受け渡されつつ咥え折りされ、咥胴１５の上側半周面を添接されて減速胴１６に受け渡され、上渡胴１７または下渡胴１８を介して排紙装置へと搬出される。
【００２０】
更に、咥胴１５と減速胴１６との間でシート状物としての折丁の受け渡しを行う胴間受け渡し部には、その入口側にシート状物案内ガイド１１が設けられ、該シート状物案内ガイド１１により、咥え板１５１に保持されて咥胴１５の周面を添接される折丁の先端部を胴間受け渡し部へと案内するように構成されている。
【００２１】
図１乃至図３に示すように、本実施例におけるシート状物案内ガイド１１は、相互に隣接する第１乃至第５ガイド部１１１〜１１５から構成され、それぞれ固定部材１９を介して図示しないフレーム間に設けられたステイ２０に固定されている。
【００２２】
これら第１乃至第５ガイド部１１１〜１１５は、それぞれ咥胴１５の周面１５ａに沿って湾曲する案内面を有し、減速胴１６側に位置する端部１１１ａ〜１１５ａが胴間受け渡し部近傍まで伸長している。これに対し、減速胴１６の外周面１６ａにあって端部１１１ａ〜１１５ａに対向する部分には、外周面１６ａに周方向に沿って形成された凹溝１６ｂが設けられている。この凹溝１６ｂは端部１１１ａ〜１１５ａとの間に所定の間隔を有するようにその幅及び深さが設定されており、端部１１１ａ〜１１５ａと減速胴１６との間には所定の間隙が保持されている。これにより、端部１１１ａ〜１１５ａは、減速胴１６に形成された凹溝１６ａに所定の間隙を有して進入するようになっている。
【００２３】
また、第１乃至第５ガイド部１１１〜１１５の下流側、即ち減速胴１６側にあって、減速胴１６の回転に伴って移動する爪部１６１に対応する部分には、切欠き１１１ｂ〜１１５ｂが形成されている。切欠き１１１ｂ〜１１５ｂの周方向の深さは、該切欠き１１１ｂ〜１１５ｂを爪部１６１が通過可能であって、且つ通過する爪部１６１との間に間隙を有するように設定されている。図中２１は、折丁を案内するガイドである。
【００２４】
なお、図２及び図３に示すように、第２ガイド部１１２及び第４ガイド部１１４は、軸方向に対して中央部分のみが減速胴１６側へと延伸した形状となっており、両側部分は図３に示すように折丁の搬送方向に対して短尺に形成されている。これは、後ガイド部１１１，１１４が、咥胴１５の表面側に配置されたコロ２２に接触することを避けるためであって、シート状物案内ガイド１１の形状は折機の構成に応じて種々の形状とすることが可能であり、図１〜３に示した形状に限らない。例えば、第１乃至第５ガイド部１１１〜１１５は一体であっても構わない。
【００２５】
本実施例によれば、咥胴１５と減速胴１６との間の胴間受け渡し部に折丁の先端部を案内するシート状物の案内装置として、シート状物案内ガイド１１案内面の減速胴側に位置する端部１１１ａ〜１１５ａを胴間受け渡し部まで伸長し、該端部１１１ａ〜１１５ａに対向する減速胴１６の外周面１６ａに、端部１１１ａ〜１１５ａを所定の間隙を有した状態で凹溝１６ｂを形成する構成としたことにより、咥え板１５１によって咥胴１５表面を搬送される折丁が、胴間受け渡し部において爪部１６１に咥え換えされるまでの間、折丁ふくらみを抑えることができるために、折丁の姿勢が安定し、紙質に応じて折丁の受け渡しタイミングを調整する必要がなくなる。
【００２６】
そしてこのことにより折丁の受け渡しが安定して折精度が向上する。更に加えて、端部１１１ａ〜１１５ａによって折丁ふくらみを抑えられることにより、減速胴１６に折丁が接触することを抑制し、減速胴１６のこすれを防止することができる。
【００２７】
なお、本実施例では、上述したようにシート状物案内ガイド１１を咥胴１５と減速胴１６との間で折丁の咥え換えを行う胴間受け渡し部の入口側に設ける例を示したが、本発明は、上述した実施例に限らず、例えば折胴１４と咥胴１５との間における咥え折部の入口側に本発明に係るシート状物の案内装置を設ける等、それぞれシート状物を胴の表面に添接可能に保持する保持部材を有し、胴間でシート状物の受け渡しを行う胴間受け渡し部の入口側に設けることにより、シート状物の受け渡しを確実、且つ高精度に行うことができるものである。
【産業上の利用可能性】
【００２８】
本発明は、シート状物の案内装置に関し、詳しくは、それぞれシート状物を保持する保持部材を備え、該保持部材に保持されたシート状物を周面に沿って搬送させる二つの胴間であって、該シート状物の受け渡しを行う胴間受け渡し部の入口側に設けて好適なものである。
【図面の簡単な説明】
【００２９】
【図１】本発明の実施例に係るシート状物の案内装置の要部断面図である。
【図２】本発明の実施例に係るシート状物の案内装置の上面図である。
【図３】本発明の実施例に係るシート状物の案内装置の他の要部断面図である。
【図４】本発明の実施例に係るシート状物の案内装置の適用対象例の折機の胴配列図である。
【図５】従来の折機の一例を示す胴配列図である。
【符号の説明】
【００３０】
１１  シート状物案内ガイド
１２  ウェブ
１５  咥胴
１５ａ  咥胴の周面
１６  減速胴
１６ａ  減速胴外周面
１６ｂ  凹溝
１１１ａ，１１２ａ，１１３ａ，１１４ａ，１１５ａ  ガイド先端部
１１１ｂ，１１２ｂ，１１３ｂ，１１４ｂ，１１５ｂ  切欠き部
１５１  咥え板
１６１  爪部
【図１】
2008247549.tif 000003
【図２】
2008247549.tif 000004
【図３】
2008247549.tif 000005
【図４】
2008247549.tif 000006
【図５】
2008247549.tif 000007
【手続補正書】
【提出日】平成20年3月10日(2008.3.10)
【手続補正１】
【補正対象書類名】明細書
【補正対象項目名】全文
【補正方法】変更
【補正の内容】
【発明の詳細な説明】
【技術分野】
【０００１】
本発明は、シート状物の案内装置に関する。
【背景技術】
【０００２】
輪転印刷機には、シート状物、例えば印刷後、乾燥冷却されたウェブを所定の長さごとに断裁したものを、目的に応じて幅方向または長さ方向に沿って折り畳み、排紙装置へ搬出する折機が備えられている。このような折機は、例えば、ウェブを幅方向に二つ折するフォーマー折装置、断裁された折丁を断裁面と平行に折り畳むくわえ折装置、及び断裁された折丁を断裁面と直角に折り畳むチョッパ折装置の組み合わせによって構成される。
【０００３】
図５に上記各折装置の一つであるくわえ折装置の一例を示す。図５に示すように、くわえ折装置は、断裁胴１３、折胴１４、くわえ胴１５、減速胴１６、及び上下の渡胴１７，１８を備え、これらは、図中矢印で示す方向へ同期して回転駆動するようになっている。
【０００４】
断裁胴１３にはウェブ１２を所定の寸法ごとに断裁する断裁刃１３１が備えられ、また、折胴１４には回転軸方向に並列する複数個の針１４１及び差し込みナイフ１４２が備えられている。くわえ胴１５には差し込みナイフ１４２に対向してくわえ板１５１が配設されている。減速胴１６及び上下の渡胴１７，１８には、爪と爪台とからなる爪部１６１，１７１，１８１がそれぞれ備えられている。
【０００５】
印刷後、乾燥冷却されたウェブ１２は、このくわえ折装置において所定の長さごとに断裁されてシート状物となり、くわえ折され、排紙装置へ搬出される。
【０００６】
そして、このようなくわえ折装置にあっては、シート状物の案内装置として、胴間においてシート状物の受け渡し、例えばくわえ換えを行う際にシート状物の先端部を胴間受け渡し部へ案内するシート状物案内ガイド２３が備えられている（例えば、特許文献１参照）。図５は、くわえ胴１５と減速胴１６との間における折丁の胴間受け渡し部にシート状物案内ガイド２３を設けた例であり、シート状物案内ガイド２３は、胴間受け渡し部の入口側に配置されている。
【０００７】
図５に示すように、シート状物案内ガイド２３は、ほぼ一定の厚さの板体であってくわえ胴１５の周面に沿って湾曲するとともに、減速胴１６側の端部が、減速胴１６の周面との間に間隙を有するように配置され、爪部１６１との接触を回避しつつ、くわえ板１５１に保持された折丁の紙あばれを抑制して該折丁がくわえ胴１５の周面に添接した状態で受け渡し部へと案内されるように構成されている。
【０００８】
【特許文献１】実公平０７−５４２０５号公報
【発明の開示】
【発明が解決しようとする課題】
【０００９】
しかしながら、図５に示すような従来のシート状物案内ガイド２３にあっては、その形状と、爪部１６１との間に間隙を設ける必要があることとから、該シート状物案内ガイド２３を胴間受け渡し部のできるだけ近傍に配置した場合であっても、図５に示すように胴間受け渡し部とシート状物案内ガイド２３の端面との間に空隙が形成され、以下に示すような問題が生じていた。
【００１０】
即ち、紙質や機械回転数により上記空隙における折丁の姿勢が変化してしまい、これに伴って折丁受け渡しのタイミングを調整する必要が生じ、折精度に影響を及ぼす虞があった。また、上記空隙に折丁ふくらみが入り込むことにより、ガイド２３の先端にインキが堆積し、折丁がこすれとなる虞や、上記空隙によっては、折丁が減速胴１６に接触し、こすれとなる虞があった。
【００１１】
本発明はこのような問題を解決するものであって、折丁ふくらみを確実に抑えた状態で胴間受け渡し部に案内することができるシート状物の案内装置を提供することを目的とする。
【課題を解決するための手段】
【００１２】
上記の課題を解決するための第１の発明に係るシート状物の案内装置は、それぞれ周面にシート状物を保持する保持部材を備えて相互に隣接する二つの胴の間で、上流側の胴から下流側の胴へとシート状物の受け渡しを行う胴間受け渡し部の入口側に、前記上流側の胴の周面に沿って形成され、下流側の端部が、前記下流側の胴の周面上に周方向に形成された凹溝に所定の間隙を有して進入する位置まで伸長されたシート状物案内ガイドを設けたことを特徴とする。
【００１３】
第２の発明に係るシート状物の案内装置は、第１の発明に係るシート状物の案内装置において、前記シート状物案内ガイドが、下流側の端部にあって前記下流側の胴が備える前記保持部材に対応する位置に、前記保持部材が通過可能な切欠きを備えることを特徴とする。
【発明の効果】
【００１４】
上述した本発明に係るシート状物の案内装置によれば、折丁の受け渡しに際し、折丁ふくらみをガイドによって確実に受け渡し部まで案内することができることにより折丁の姿勢が安定するため、紙質に応じた折丁タイミングの調整が不要となり、折丁の受け渡しが安定して折精度が向上する。更に、折丁ふくらみをガイドによって受け渡し部近傍まで案内することができるため、従来生じていた折丁ふくらみによるシリンダーのこすれを防止することができる。
【発明を実施するための最良の形態】
【００１５】
以下に、本発明の実施の形態について説明する。本発明の実施の形態は、それぞれ周面にシート状物を保持する保持部材を備えて相互に隣接する二つの胴、例えば折機における折胴とくわえ胴間、又はくわえ胴と減速胴間等であって、上流側の胴から下流側の胴へとシート状物の受け渡しを行う胴間受け渡し部の入口側に、上流側の胴の周面に沿って形成され、下流側の端部が、下流側の胴の周面上に周方向に形成された凹溝に所定の間隙を有して進入する位置まで伸長されるとともに、端部にあって下流側の胴が備える保持部材に対応する位置に、保持部材が通過可能な切欠きを備えるシート状物案内ガイドを設けるものであり、以下に示す実施例においてその詳細を説明する。
【実施例】
【００１６】
以下、図に基づいて本発明の一実施例の詳細を説明する。図１は本実施例に係るシート状物の案内装置の要部断面図、図２は本実施例に係るシート状物の案内装置の上面図、図３は本実施例に係るシート状物の案内装置の他の要部断面図、図４は本実施例の適用対象例の折機の胴配列図である。
【００１７】
図４に示すように、本実施例に係るシート状物の案内装置が設けられる折機は、断裁胴１３、折胴１４、くわえ胴１５、減速胴１６、及び上下の渡胴１７，１８を備え、これらは、図中矢印で示す方向へ同期して回転駆動するようになっている。
【００１８】
断裁胴１３には軸方向に延びてウェブ１２を所定の寸法ごとに断裁する二つの断裁刃１３１が備えられ、折胴１４には軸方向に並列する複数の針１４１及び差し込みナイフ１４２がそれぞれ周方向に二列備えられている。また、くわえ胴１５には差し込みナイフ１４２に対向して保持部材としてのくわえ板１５１が周方向に二列備えられ、更に、減速胴１６及び上下の渡胴１７，１８には、それぞれ爪と爪台とからなる保持部材としての爪部１６１，１７１，１８１が備えられている。
【００１９】
図４に示す折機において、印刷後、乾燥冷却されたウェブ１２は、断裁胴１３によって所定の長さごとに断裁され、針１４１によって折胴１４の下側半周面へ添接される。そして、断裁されたウェブは、差し込みナイフ１４２及びくわえ板１５１によって折胴１４からくわえ胴１５へ受け渡されつつくわえ折りされ、くわえ胴１５の上側半周面を添接されて減速胴１６に受け渡され、上渡胴１７または下渡胴１８を介して排紙装置へと搬出される。
【００２０】
更に、くわえ胴１５と減速胴１６との間でシート状物としての折丁の受け渡しを行う胴間受け渡し部には、その入口側にシート状物案内ガイド１１が設けられ、該シート状物案内ガイド１１により、くわえ板１５１に保持されてくわえ胴１５の周面を添接される折丁の先端部を胴間受け渡し部へと案内するように構成されている。
【００２１】
図１乃至図３に示すように、本実施例におけるシート状物案内ガイド１１は、相互に隣接する第１乃至第５ガイド部１１１〜１１５から構成され、それぞれ固定部材１９を介して図示しないフレーム間に設けられたステイ２０に固定されている。
【００２２】
これら第１乃至第５ガイド部１１１〜１１５は、それぞれくわえ胴１５の周面１５ａに沿って湾曲する案内面を有し、減速胴１６側に位置する端部１１１ａ〜１１５ａが胴間受け渡し部近傍まで伸長している。これに対し、減速胴１６の外周面１６ａにあって端部１１１ａ〜１１５ａに対向する部分には、外周面１６ａに周方向に沿って形成された凹溝１６ｂが設けられている。この凹溝１６ｂは端部１１１ａ〜１１５ａとの間に所定の間隔を有するようにその幅及び深さが設定されており、端部１１１ａ〜１１５ａと減速胴１６との間には所定の間隙が保持されている。これにより、端部１１１ａ〜１１５ａは、減速胴１６に形成された凹溝１６ａに所定の間隙を有して進入するようになっている。
【００２３】
また、第１乃至第５ガイド部１１１〜１１５の下流側、即ち減速胴１６側にあって、減速胴１６の回転に伴って移動する爪部１６１に対応する部分には、切欠き１１１ｂ〜１１５ｂが形成されている。切欠き１１１ｂ〜１１５ｂの周方向の深さは、該切欠き１１１ｂ〜１１５ｂを爪部１６１が通過可能であって、且つ通過する爪部１６１との間に間隙を有するように設定されている。図中２１は、折丁を案内するガイドである。
【００２４】
なお、図２及び図３に示すように、第２ガイド部１１２及び第４ガイド部１１４は、軸方向に対して中央部分のみが減速胴１６側へと延伸した形状となっており、両側部分は図３に示すように折丁の搬送方向に対して短尺に形成されている。これは、後ガイド部１１１，１１４が、くわえ胴１５の表面側に配置されたコロ２２に接触することを避けるためであって、シート状物案内ガイド１１の形状は折機の構成に応じて種々の形状とすることが可能であり、図１〜３に示した形状に限らない。例えば、第１乃至第５ガイド部１１１〜１１５は一体であっても構わない。
【００２５】
本実施例によれば、くわえ胴１５と減速胴１６との間の胴間受け渡し部に折丁の先端部を案内するシート状物の案内装置として、シート状物案内ガイド１１案内面の減速胴側に位置する端部１１１ａ〜１１５ａを胴間受け渡し部まで伸長し、該端部１１１ａ〜１１５ａに対向する減速胴１６の外周面１６ａに、端部１１１ａ〜１１５ａを所定の間隙を有した状態で凹溝１６ｂを形成する構成としたことにより、くわえ板１５１によってくわえ胴１５表面を搬送される折丁が、胴間受け渡し部において爪部１６１にくわえ換えされるまでの間、折丁ふくらみを抑えることができるために、折丁の姿勢が安定し、紙質に応じて折丁の受け渡しタイミングを調整する必要がなくなる。
【００２６】
そしてこのことにより折丁の受け渡しが安定して折精度が向上する。更に加えて、端部１１１ａ〜１１５ａによって折丁ふくらみを抑えられることにより、減速胴１６に折丁が接触することを抑制し、減速胴１６のこすれを防止することができる。
【００２７】
なお、本実施例では、上述したようにシート状物案内ガイド１１をくわえ胴１５と減速胴１６との間で折丁のくわえ換えを行う胴間受け渡し部の入口側に設ける例を示したが、本発明は、上述した実施例に限らず、例えば折胴１４とくわえ胴１５との間におけるくわえ折部の入口側に本発明に係るシート状物の案内装置を設ける等、それぞれシート状物を胴の表面に添接可能に保持する保持部材を有し、胴間でシート状物の受け渡しを行う胴間受け渡し部の入口側に設けることにより、シート状物の受け渡しを確実、且つ高精度に行うことができるものである。
【産業上の利用可能性】
【００２８】
本発明は、シート状物の案内装置に関し、詳しくは、それぞれシート状物を保持する保持部材を備え、該保持部材に保持されたシート状物を周面に沿って搬送させる二つの胴間であって、該シート状物の受け渡しを行う胴間受け渡し部の入口側に設けて好適なものである。
【図面の簡単な説明】
【００２９】
【図１】本発明の実施例に係るシート状物の案内装置の要部断面図である。
【図２】本発明の実施例に係るシート状物の案内装置の上面図である。
【図３】本発明の実施例に係るシート状物の案内装置の他の要部断面図である。
【図４】本発明の実施例に係るシート状物の案内装置の適用対象例の折機の胴配列図である。
【図５】従来の折機の一例を示す胴配列図である。
【符号の説明】
【００３０】
１１  シート状物案内ガイド
１２  ウェブ
１５  くわえ胴
１５ａ  くわえ胴の周面
１６  減速胴
１６ａ  減速胴外周面
１６ｂ  凹溝
１１１ａ，１１２ａ，１１３ａ，１１４ａ，１１５ａ  ガイド先端部
１１１ｂ，１１２ｂ，１１３ｂ，１１４ｂ，１１５ｂ  切欠き部
１５１  くわえ板
１６１  爪部
【手続補正２】
【補正対象書類名】図面
【補正対象項目名】図４
【補正方法】変更
【補正の内容】
【図４】
2008247549.tif 000008
【手続補正３】
【補正対象書類名】図面
【補正対象項目名】図５
【補正方法】変更
【補正の内容】
【図５】
2008247549.tif 000009